(57)【特許請求の範囲】
【請求項１】
本体と、
遊技盤の盤面より突出する水平方向で隣接した２本の釘にまたがる幅を持って前記本体の先端より突出され、遊技盤の盤面及び前記２本の釘にまたがって各釘の奥端上面に当接載置されて前記本体の水平方向回転防止及び釘の上下方向の傾斜による前記本体の左右方向傾斜防止を行う設置基準部と、
前記本体に取り付けられ、前記設置基準部を当接させた前記２本の釘の奥端よりも先端側の釘間に挿入されて前記２本の釘間の間隔を測定する間隔測定手段と、
前記間隔測定手段による測定結果を表示する表示手段とを有することを特徴とする遊技機用釘測定装置。
【請求項２】
請求項１において、
前記設置基準部は、前記設置基準部の前記本体からの突出位置を調整可能にして前記間隔測定手段による釘間の測定位置を調整可能にする位置調整手段を有することを特徴とする遊技機用釘測定装置。
【請求項３】
請求項１または２において、
前記間隔測定手段は、前記本体に固定されて一方の前記釘の対向内側面に接触する固定測定子と、
前記本体に水平回転可能に取り付けられて他方の前記釘の対向内側面に接触し、前記２本の釘の間隔に応じて移動、変位する可動測定子と、
前記可動測定子と直接または間接的に当接して前記可動測定子の変位を検出する測定子を有する変位測定器と、
を含むことを特徴とする遊技機用釘測定装置。
【発明の詳細な説明】
【０００１】
【発明の属する技術分野】
本発明は、遊技機用釘測定装置に関し、特に、遊技盤より突出する釘の間隔を正確に測定する遊技機用釘測定装置に関する。
【０００２】
【背景技術及び発明が解決しようとする課題】
一般に、遊技機、例えばパチンコ機を扱うパチンコホールでは、パチンコ機の出玉率がパチンコホールの収益に大きな影響を与えることから、パチンコ機の出玉率を正確にコントロールすることが望まれている。
【０００３】
パチンコ機の出玉率には、パチンコ玉のセーフ穴への入球を邪魔する複数の釘の間隔と釘の傾斜角度が大きく影響する。
【０００４】
そこで、適度な出玉率を確保するため、釘の間隔と釘の傾斜角度を調整することが行われている。
【０００５】
これまでの釘の間隔調整のための測定器は、パチンコ玉と略同じ直径の測定子を用いており、その中央部に測定子を釘の決まった位置に固定するための位置決めバーを有する構造となっている。
【０００６】
しかし、測定子の中央部分に突き出た位置決めバーを２本の釘に乗せて、その間隔を測定する場合、釘が上下に曲がった状態になっていると、その釘に乗った状態で測定するため、傾いた釘の間隔を測ることなり、これでは、厳密な意味での釘の水平方向の間隔を計ることができず、しかも、釘の上下方向の傾斜による出玉への影響を知ることができない。
【０００７】
また、測定子をパチンコ玉と同じ直径にすることで、釘の盤面からの一定の距離位置における釘の間隔を測定するようにしているが、パチンコ玉は必ずしもその位置を通過するわけではなく、実際に即したものということはできない。
【０００８】
さらに、実際にパチンコ玉が通過する最も適当な位置に測定位置を設定しようとすると、その都度測定子の直径を変える必要が生じ、事実上測定不可能となる。
【０００９】
本発明の目的は、釘の水平方向の釘間隔を釘の上下方向の傾斜に影響されることなく正確に測定することができ、釘の間隔調整作業を正確、かつ、短時間になさしめ、正確な出玉率と作業時間の短縮を実現することのできる遊技機用釘測定装置を提供することにある。
【００１０】
本発明の他の目的は、盤面から任意の位置の釘の間隔を正確に測定することができる遊技機用釘測定装置を提供することにある。
【００１１】
【課題を解決するための手段】
前記目的を達成するため、本発明の遊技機用釘測定装置は、本体と、
遊技盤の盤面より突出する水平方向で隣接した２本の釘にまたがる幅を持って前記本体の先端より突出され、遊技盤の盤面及び前記２本の釘にまたがって各釘の奥端上面に当接載置されて前記本体の水平方向回転防止及び釘の上下方向の傾斜による前記本体の左右方向傾斜防止を行う設置基準部と、
前記本体に取り付けられ、前記設置基準部を当接させた前記２本の釘の奥端よりも先端側の釘間に挿入されて前記２本の釘間の間隔を測定する間隔測定手段と、
前記間隔測定手段による測定結果を表示する表示手段とを有することを特徴とする。
【００１２】
本発明によれば、２本の釘にまたがる幅を有する設置基準部を遊技盤の盤面に当接させることで、本体や間隔測定手段の水平方向における回転を防止して安定した状態とすることができ、しかも、釘の上下方向における傾斜に影響を受けることのない２本の釘の奥端に当接させることで、釘の上下方向の傾斜に影響されることなく２本の釘の間隔を正確に測定することができる。
【００１３】
また、間隔測定手段による測定結果を表示手段により表示することで、釘の間隔調整作業を正確かつ短時間で行うことができ、正確な出玉率のコントロールと作業時間の短縮を図ることができる。
本発明においては、前記設置基準部は、前記設置基準部の前記本体からの突出位置を調整可能にして前記間隔測定手段による釘間の測定位置を調整可能にする位置調整手段を有する前記設置基準部は、前記設置基準部の前記本体からの突出位置を調整可能にして前記間隔測定手段による釘間の測定位置を調整可能にする位置調整手段を有するものとすることができる。
このような構成とすることにより、盤面から突出する釘の任意の位置で測定を行うことができ、実際の状況に応じた測定を行うことができる。
【００１４】
本発明においては、前記間隔測定手段は、前記本体に固定されて一方の前記釘の対向内側面に接触する固定測定子と、
前記本体に水平回転可能に取り付けられて他方の前記釘の対向内側面に接触し、前記２本の釘の間隔に応じて移動、変位する可動測定子と、
前記可動測定子と直接または間接的に当接して前記可動測定子の変位を検出する測定子を有する変位測定器と、
を含むようにするとよい。
【００１５】
このような構成とすることにより、固定測定子と可動測定子とを２本の釘間に挿入し、可動測定子の移動変位を直接または間接的に変位測定器の測定子にて検出することで、釘の水平方向における変位を確実に検出して正確な釘の間隔を測定することができる。
【００２７】
【発明の実施の形態】
以下、本発明の好適な実施の形態について、図面を参照して詳細に説明する。
【００２８】
図１〜図５は、本発明の一実施の形態に係るパチンコ機用釘測定装置を示す図である。
【００２９】
図１はパチンコ機用釘測定装置の平面図、図２は側面図、図３は正面図を示している。
【００３０】
このパチンコ機用釘測定装置１０は、パチンコ機の遊技盤１２の盤面１４より突出する水平方向で隣接した２本の釘１６ａ、１６ｂの水平方向における間隔を測定するもので、本体２０と、設置基準部２２と、間隔測定手段としての固定測定子２４、可動測定子２６及びデジタルゲージ２８と、表示手段としての表示部３０とを有している。
【００３１】
本体２０は、図１に示すように、先端に設置基準部２２用の取付け部３２ａと固定測定子２４用の取付け部３２ｂを有し、ほぼ中央部に可動測定子２６用の取付け部３２ｃを有するとともに後端部にダイヤルゲージ２８用の取付け部３２ｄを有している。
【００３２】
設置基準部２２は、本体２０の取付け部３２ａに取り付けられる脚部３４と、脚部３４の先端に設けられた当接部３６とを有する。
【００３３】
脚部３４は、位置調整手段３８を介して取付け部３２ａに取り付けられ、この位置調整手段３８によって当接部３６の本体２０先端からの突出位置を調整可能にされている。
【００３４】
この位置調整手段３８は、本体２０の取付け部３２ａに前後方向にわたって形成された長孔４０と、この長孔４０を貫通して取付け部３２ａの下面側の脚部３４に螺合する調整ねじ４２とを有し、この調整ねじ４２をゆるめて長孔４０の範囲内で脚部３４の取付位置を調整し、調整ねじ４２を締め付けることで当接部３６の突出位置の調整を行うことができるようになっている。
【００３５】
当接部３６は、水平方向で隣接した２本の釘１６ａ、１６ｂにまたがる幅をもって本体２０の先端より突出された状態となっており、この当接部３６を遊技盤１２の盤面１４及び２本の釘１６ａ、１６ｂの奥端上面に当接されるようになっている。
【００３６】
この当接部３６を遊技盤１２の盤面１４に当接させることで、盤面１４に対する本体２０の水平回転を防止するとともに、２本の釘１６ａ、１６ｂの奥端上面に当接させることで、釘１６ａ、１６ｂの上下方向における傾斜に影響されることなく、本体２０の水平度を維持することができるようになっている。
【００３７】
また、当接部３６は、その盤面１４側の部分が両端の盤面１４との接触部４３を残して切り欠かれた状態となっており、盤面１４に対し接触部４３が横方向２点で当接することで、盤面１４の凹凸に影響されることなく、本体２０を横方向で安定した状態で設置することが可能となっている。
【００３８】
固定測定子２４は、本体２０の先端部の取付け部３２ｂに固定され、その先端の固定接触子４４が設置基準部２２の当接部３６より若干後退した位置で、一方の釘１６ｂの対向内側面に接触し得るようにされている。
【００３９】
可動測定子２６は、ほぼＴ字状をなすもので、このＴ字上部ほぼ中央位置で本体２０のほぼ中央に位置する取付け部３２ｃに対し水平回転可能に取り付けられたリンク状のものとされている。
【００４０】
具体的には、可動測定子２６のＴ字上部ほぼ中央位置には、回転軸４６が取り付けられ、この回転軸４６が本体２０の取付け部３２ｃ側に設けた軸受け４７によって回転可能に支持された状態となっている。
【００４１】
また、この可動測定子２６の先端には、固定測定子２４の固定接触子４４と隣接して、可動接触子４８が設けられ、この可動接触子４８が他方の釘１６ａの対向内側面に接触するとともに、釘１６ａ、１６ｂの間隔に応じて回転移動して変位するようになっている。
【００４２】
さらに、可動測定子２６のＴ字上部一端には、デジタルゲージ２８に直接当接する当接部５０が設けられ、この当接部５０が可動接触子４８の変位に伴って変位し、デジタルゲージ２８にその変位量を伝達し得るようになっている。
【００４３】
なお、ここでは、可動測定子２６の当接部５０がデジタルゲージ２８に直接当接しているが、例えばリンク等を介して方向を変え、間接的にデジタルゲージ２８に当接させるようにすることも可能である。
【００４４】
また、可動測定子２６の当接部５０と反対側の端部には、レバー５２が設けられ、このレバー５２を操作することで、可動接触子４８を手動で移動できるようにしている。
【００４５】
デジタルゲージ２８は、ゲージ本体５４から突出する筒５６内を通って外部に測定子５８が突出した状態となっており、この測定子５８の進退によって長さを計測可能にされたデジタル式の変位測定器とされている。
【００４６】
そして、このデジタルゲージ２８の筒５６を本体２０の取付け部３２ｄに固定し、測定子５８を前方に突出させ、この測定子５８の先端を可動測定子２６の当接部５０に当接させるようにしている。
【００４７】
また、このデジタルゲージ２８は、その上面に表示部３０を一体に有し、この表示部３０に測定結果をデジタル表示するようになっている。
【００４８】
また、固定測定子２４の固定接触子４４及び可動測定子２６の可動接触子４８には、図３に示すように、それぞれ下端部外側面にテーパ部６０ａ、６０ｂが設けられ、これら固定接触子４４及び可動接触子４８が２本の釘１６ａ、１６ｂの間隔より若干大きな間隔をもって配置され、このテーパ部６０ａ、６０ｂを釘１６ａ、１６ｂの対向内側面に接触させながら固定接触子４４及び可動接触子４８を釘１６ａ、１６ｂ間に挿入することで測定を行うようになっている。
【００４９】
そして、このようなパチンコ機用釘測定装置１０を用いて２本の釘１６ａ、１６ｂの内法間隔を測定するには、図４（１）に示すように、パチンコ機用釘測定装置１０を前端側が下になるように斜めに保持し、設置基準部２２の当接部３６の接触部４３を盤面１４に接触させるとともに、当接部３６を釘１６ａ、１６ｂの奥端上面に当接させる。
【００５０】
このとき、固定測定子２４の固定接触子４４及び可動測定子２６の可動接触子４８は、釘１６ａ、１６ｂの上方に位置する状態となる。
【００５１】
この状態から図４（２）に示すように、設置基準部２２の当接部３６を盤面１４及び釘１６ａ、１６ｂの奥端上面に当接させた状態を維持しながら、当接部３６を中心に本体２０の後方側を下側に回動させて２本の釘１６ａ、１６ｂの内法間隔を測定する。
【００５２】
この場合、固定測定子２４及び可動測定子２６は、固定接触子４４及び可動接触子４８に形成したテーパ部６０ａ、６０ｂが先に釘１６ａ、１６ｂに接触することとなり、このテーパ部６０ａ、６０ｂによって案内されながら釘１６ａ、１６ｂ間に挿入され、スムーズな挿入動作を行うことができる。
【００５３】
そして、この固定接触子４４及び可動接触子４８が釘１６ａ、１６ｂ間に挿入されることで、固定接触子４４に対し可動接触子４８が釘１６ａ、１６ｂの間隔に応じて移動、変位することとなり、この可動接触子４８の変位が可動測定子２６の水平回転動作によって当接部５０を介し測定子５８へと伝達されてデジタルゲージ２８による変位の測定が行われ、表示部３０に測定結果が表示されることとなる。
【００５４】
この結果、釘の間隔調整作業を正確かつ短時間で行うことができ、正確な出玉率のコントロールと作業時間の短縮を図ることが可能となる。
【００５５】
また、パチンコ玉が釘１６ａ、１６ｂを通る通過位置は１カ所に定まっているわけではないため、位置調整手段３８によって設置基準部２２の位置調整を行い、例えば図５（１）に示す最大突出位置に設置基準部２２を設置すると、釘１６ａ、１６ｂの先端側位置での間隔測定を行うことができ、また、図５（２）に示すように最小突出位置に設置基準部２２を設置すると、釘１６ａ、１６ｂの奥端側での間隔測定を行うことができ、これら最大突出位置及び最小突出位置間の任意の位置での間隔測定を行うことができる。
【００５６】
これによって、実際のパチンコ玉の通過状態に即した位置での釘間隔測定を確実に行うことができる。
【００５７】
図６〜図１０は、本発明の他の実施の形態に係るパチンコ機用釘測定装置を示す図である。
【００５８】
このパチンコ機用釘測定装置７０は、前記実施の形態における固定測定子２４を省略し、設置基準部２２の当接部３６にガイド板７２を取付け、このガイド板７２に、釘１６ａまたは１６ｂの奥端を挟み込んで位置決めを行う係合部としての切り欠き溝７４を形成している。
【００５９】
この切り欠き溝７４は、本体２０の位置決めとしての機能のほかに、この切り欠き溝７４の対向一面を釘１６ａまたは１６ｂの片面に接触させて、固定測定子として機能させるようにしている。
【００６０】
そして、可動測定子２６は、釘１６ａまたは１６ｂの切り欠き溝７４との接触面と反対側面に接触して釘１６ａまたは１６ｂの変位に応じて移動、変位するようにされている。
【００６１】
他の構成は、前記実施の形態と同様であるため、ここでは同様の構成部材について同一の符号を示すにとどめ、説明は省略する。
【００６２】
次に、このようなパチンコ機用釘測定装置７０を用いて釘１６ａ、１６ｂの間隔を測定する場合について説明する。
【００６３】
まず、図９（１）に示すように、パチンコ機用釘測定装置７０を設置基準部２２側が下側になるように斜めに保持し、釘１６ａの途中位置にガイド板７２の切り欠き溝７４を係合させ、当接部３６を釘１６ａ、１６ｂの上面に当接させる。
【００６４】
次いで、同図（２）に示すように、釘１６ａに対する切り欠き溝７４の係合状態及び当接部３６の当接状態を維持しながら、パチンコ機用釘測定装置７０を前進させ、設置基準部２２を盤面１４に当接させ、当接部３６を釘１６ａ、１６ｂの奥端上面に当接させる。
【００６５】
次に、この状態から、同図（３）に示すようにパチンコ機用釘測定装置７０の後方側を下方に回動させると、可動測定子２６の可動接触子４８が釘１６ａと接触して釘１６ａの水平方向の傾斜に応じて移動、変位することとなる。
【００６６】
この場合、図１０（１）に示すように、釘１６ａを挟んで、切り欠き溝７４の片面と可動測定子２６の当接部３６の片面とが釘１６ａに接触することとなり、このため、釘の直径を基準ゲージでオフセットしておくことにより、釘１６ａの正確な水平方向の傾斜量を測定することができる。
【００６７】
次に、同図（２）に示すように、同図（１）で測定した測定値をオフセットし、この状態から、同図（３）に示すようにレバー５２を操作して可動測定子２６を隣接する釘１６ｂの側面に当接させるように移動させて釘１６ａ、１６ｂ間の間隔を測定する。
【００６８】
この場合、可動測定子２６の移動量に可動接触子４８の幅を加えることによって正確な釘１６ａ、１６ｂ間の間隔を測定することができる。
【００６９】
本発明は、前記実施の形態に限定されるものではなく、本発明の要旨の範囲内において種々の形態に変形可能である。
【００７０】
例えば、図６〜図１０の実施の形態では、一方の釘１６ａの水平方向の傾斜測定と、２本の釘１６ａ、１６ｂ間の間隔の測定を行うようにしているが、２本の釘１６ａ、１６ｂのそれぞれの水平方向の傾斜を測定し、この測定結果に基づいて２本の釘１６ａ、１６ｂ間の間隔を求めるようにすることもできる。
【００７１】
また、前記実施の形態では、設置基準部２２の当接部３６の幅を２本の釘１６ａ、１６ｂにまたがる幅に設定しているが、この釘１６ａ、１６ｂの傾斜を測定する場合には、当接部３６の幅を本体２０の水平方向での回転を防止し得る程度の所定の幅に設定することもできる。
【図面の簡単な説明】
【図１】本発明の一実施の形態に係るパチンコ機用釘測定装置の一部を破断して示す平面図である。
【図２】図１の側面図である。
【図３】図１及び図２の左側から見た正面図である。
【図４】（１）及び（２）は、それぞれ測定時の状態を示す部分側面図である。
【図５】（１）及び（２）は、それぞれ設置基準部の位置を最大及び最小に設定した状態を示す部分側面図である。
【図６】本発明の他の実施の形態に係るパチンコ機用釘測定装置を示す一部破断平面図である。
【図７】図６の側面図である。
【図８】図６及び図７の左側から見た正面図である。
【図９】（１）〜（３）は、それぞれ本実施の形態におけるパチンコ機用釘測定装置の設置状態を示す部分側面図である。
【図１０】（１）〜（３）は、それぞれ釘の傾斜測定から釘の間隔測定に至る状態を示す部分平面図である。
【符号の説明】
１０、７０  パチンコ機用釘測定装置
１２  遊技盤
１４  盤面
１６ａ、１６ｂ  釘
２０  本体
２２  設置基準部
２４  固定測定子
２６  可動測定子
２８  デジタルゲージ
３０  表示部
３６  当接部
３８  位置調整手段
４４  固定接触子
４８  可動接触子
５８  測定子
６０ａ、６０ｂ  テーパ部
７２  ガイド板
７４  切り欠き溝
【図１】
0003840055.tif 000002
【図２】
0003840055.tif 000003
【図３】
0003840055.tif 000004
【図４】
0003840055.tif 000005
【図５】
0003840055.tif 000006
【図６】
0003840055.tif 000007
【図７】
0003840055.tif 000008
【図８】
0003840055.tif 000009
【図９】
0003840055.tif 000010
【図１０】
0003840055.tif 000011